(57)【特許請求の範囲】
【請求項１】
情報を記録及び／又は再生可能な第１面及び第２面を有する高密度の光ディスクの記録及び／又は再生に使用され、前記光ディスクの前記第１及び第２面側にそれぞれ配置され、トラッキング及びフォーカシング動作を行う第１及び第２可動光学部と、レーザ光を出射及び検出する固定光学部とを備える光ディスク装置において、
外径の異なる複数の筒状部材を順次繋ぎ合わせて構成され、前記第１可動光学部と共に伸縮自在であり、前記固定光学部から前記第１可動光学部までの光路を遮蔽する第１遮蔽部と、
外径の異なる複数の筒状部材を順次繋ぎ合わせて構成され、前記第２可動光学部と共に伸縮自在であり、前記固定光学部から前記第２可動光学部までの光路を遮蔽する第２遮蔽部とを設け、
前記第１及び第２遮蔽部を構成する前記固定光学部側の外径が最も大きい筒状部材は、内壁及び前記可動光学部側の端部にストッパーを有し、
前記第１及び第２遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最も大きい筒状部材と前記外径が最も小さい筒状部材との間の筒状部材は、当該筒状部材の前記固定光学部側の端部にあるストッパーが、前記固定光学部側に隣り合う筒状部材の内壁にあるストッパーに係合するまで、前記可動光学部の移動方向に移動することを特徴とする光ディスク装置。
【請求項２】
高密度の光ディスクの記録及び／又は再生に使用される光ディスク装置において、
トラッキング及びフォーカシング動作を行う可動光学部と、
レーザ光を出射及び検出する固定光学部と、
前記可動光学部と共に伸縮自在であり、前記固定光学部から前記可動光学部までの前記レーザ光の光路を遮蔽する遮蔽部と、を備え、
前記遮蔽部は、外径の異なる複数の筒状部材を順次繋ぎ合わせることによって、伸縮自在に構成されており、
前記遮蔽部を構成する前記固定光学部側の外径が最も大きい筒状部材は、内壁及び前記可動光学部側の端部にストッパーを有し、
前記遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最も大きい筒状部材と前記外径が最も小さい筒状部材との間の筒状部材は、当該筒状部材の前記固定光学部側の端部にあるストッパーが、前記固定光学部側に隣り合う筒状部材の内壁にあるストッパーに係合するまで、前記可動光学部の移動方向に移動することを特徴とする光ディスク装置。
【請求項３】
前記光ディスクは、記録及び／又は再生可能な第１及び第２面を有しており、前記可動光学部は、前記第１面側に配置される第１可動光学部と、前記第２面側に配置される第２可動光学部とを有しており、
前記遮蔽部は、前記第１可動光学部と共に伸縮自在であり、前記固定光学部から前記第１可動光学部までの光路を遮蔽する第１遮蔽部と、前記第２可動光学部と共に伸縮自在であり、前記固定光学部から前記第２可動光学部までの光路を遮蔽する第２遮蔽部とを有している、請求項２に記載の光ディスク装置。
【請求項４】
高密度の光ディスクの記録及び／又は再生に使用される光ピックアップ装置において、
トラッキング及びフォーカシング動作を行う可動光学部と、
レーザ光を出射及び検出する固定光学部と、
前記可動光学部と共に伸縮自在であり、前記固定光学部から前記可動光学部までの前記レーザ光の光路を遮蔽する遮蔽部と、を備え、
前記遮蔽部は、外径の異なる複数の筒状部材を順次繋ぎ合わせることによって、伸縮自在に構成されており、
前記遮蔽部を構成する前記固定光学部側の外径が最も大きい筒状部材は、内壁及び前記可動光学部側の端部にストッパーを有し、
前記遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最もの大きい筒状部材と前記外径が最も小さい筒状部材との間の筒状部材は、当該筒状部材の前記固定光学部側の端部にあるストッパーが、前記固定光学部側に隣合う筒状部材の内壁にあるストッパーに係合するまで、前記可動光学部の移動方向に移動することを特徴とする光ピックアップ装置。
【発明の詳細な説明】
【０００１】
【発明の属する技術分野】
本発明は、光ディスク装置及び光ピックアップ装置、特に、情報を記録及び／又は再生可能な第１面及び第２面を有する高密度の光ディスクの記録及び再生に使用される光ディスク装置及び光ピックアップ装置に関する。
【０００２】
【従来の技術】
両面において記録及び再生可能な光ディスクに用いられる光ディスク装置の光ピックアップ装置としては、例えば、特開平５−１８９７９７号公報に示されているものがある。
図１は、特開平５−１８９７９７号公報に記載されている光ピックアップ装置の構成を示す図である。この光ピックアップ装置は、回転駆動部５に固定されているディスク４の表裏面で情報を記録及び再生するものである。この光ピックアップ装置は、可変光学部１ａ，１ｂと固定光学部１ｃと光学分配部１ｄとを備えている。可変光学部１ａは、それぞれ、全反射プリズム９ａ，９ｂと対物レンズ１０ａ，１０ｂとレンズアクチュエータ１１ａ，１１ｂとを有している。また可変光学部１ａ，１ｂは、それぞれ、リニアモータ２ａ，２ｂによって、レール３ａ，３ｂに沿って横方向に往復運動する。固定光学部１ｃは、半導体レーザ６とコリメートレンズ７と偏向ビームスプリッタ８とフォトディテクタ１２とヘッドアンプ１３とを有しており、レーザ光を出射すると共に、レーザ光の反射光を検出する。光学分配部１ｄは、可変位相板１４と偏向ビームスプリッタ１５ａ，１５ｂとλ／４板１６ａ，１６ｂとを有しており、可変光学部１ａ，１ｂのいずれかに固定光学部１ｃからのレーザ光を選択的に分配する。
【０００３】
例えば、ディスク４の表面（上面）に記録された情報を読み取る場合は、半導体レーザ６からのレーザ光がコリメートレンズ８、偏向ビームスプリッタ８を介して光分配部１ｃに入射され、可変位相板１４、偏向ビームスプリッタ１５ｂ，１５ａ、λ／４板１６ａによって可変光学部１ａのみにレーザ光が伝達される。全反射プリズム９で全反射されたレーザ光は、対物レンズ１０でディスク４の表面に集光される。また、ディスク４の表面からの反射光が、逆の光路を辿って固定光学部１ｃに戻り、偏向ビームスプリッタ８を介してフォトディテクタ１２に受光され、フォトディテクタ１２で電気信号に変換され、この電気信号がヘッドアンプ１３で増幅され、再生される。
【０００４】
【発明が解決しようとする課題】
今後、ディスク４の情報量が高密度化されると、記録面に集光されるスポット径をより一層小さくする必要がある。しかし、上記従来の構成では、固定光学部１ｃから可変光学部１ａ，１ｂまでのレーザ光の光路が遮蔽されておらず、埃や塵によってレーザ光が減衰、拡散されてしまい、スポット径の低減が難しいと予想される。特に、可変光学部１ａ，１ｂやリニアモータ２ａ，２ｂの移動により埃や塵が生じる恐れがあり、このような構成ではレーザ光の減衰、拡散を防止することが難しいと考えられる。
【０００５】
本発明の目的は、光ディスク装置及び光ピックアップ装置において、レーザ光の減衰、拡散を防止し、レーザ光のスポット径をより一層小さくし、高記録密度のディスクを記録及び再生可能とすることにある。
【０００６】
【課題を解決するための手段】
第１発明に係る光ディスク装置は、情報を記録及び／又は再生可能な第１面及び第２面を有する高密度の光ディスクの記録及び／又は再生に使用され、光ディスクの第１及び第２面側にそれぞれ配置され、トラッキング及びフォーカシング動作を行う第１及び第２可動光学部と、レーザ光を出射及び検出する固定光学部とを備える光ディスク装置において、第１及び第２者遮蔽部を備えている。第１遮蔽部は、外径の異なる複数の筒状部材を順次繋ぎ合わせて構成され、第１可動光学部と共に伸縮自在であり、固定光学部から第１可動光学部までの光路を遮蔽する。第２遮蔽部は、外径の異なる複数の筒状部材を順次繋ぎ合わせて構成され、第２可動光学部と共に伸縮自在であり、固定光学部から第２可動光学部までの光路を遮蔽する。
具体的には、前記第１及び第２遮蔽部を構成する前記固定光学部側の外径が最も大きい筒状部材は、内壁及び前記可動光学部側の端部にストッパーを有し、
前記第１及び第２遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最も大きい筒状部材と前記外径が最も小さい筒状部材との間の筒状部材は、当該筒状部材の前記固定光学部側の端部にあるストッパーが、前記固定光学部側に隣り合う筒状部材の内壁にあるストッパーに係合するまで、前記可動光学部の移動方向に移動する。
【０００７】
この光ディスク装置では、第１及び第２遮蔽部がそれぞれ第１及び第２可変光学部と共に伸縮自在であるので、第１及び第２可変光学部をトラッキング動作のために移動することができ、固定光学部から第１及び第２可変光学部までの光路を遮蔽し、レーザ光が塵や埃によって減衰、拡散するのを防止することができる。この結果、レーザ光のスポット径をより一層小さくし、高記録密度のディスクを記録及び再生可能となる。
【０００８】
第２発明に係る光ディスク装置は、高密度の光ディスクの記録及び／又は再生に使用される光ディスク装置において、トラッキング及びフォーカシング動作を行う可動光学部と、レーザ光を出射及び検出する固定光学部と、可動光学部と共に伸縮自在であり、固定光学部から可動光学部までのレーザ光の光路を遮蔽する遮蔽部とを備えている。
【０００９】
この光ディスク装置では、遮蔽部がそれぞれ可変光学部と共に伸縮自在であるので、可変光学部をトラッキング動作のために移動することができ、固定光学部から可変光学部までの光路を遮蔽し、レーザ光が塵や埃によって減衰、拡散するのを防止することができる。この結果、レーザ光のスポット径をより一層小さくし、高記録密度のディスクを記録及び再生可能となる。
【００１０】
また、第２発明に係る光ディスク装置は、遮蔽部は、外径の異なる複数の筒状部材を順次繋ぎ合わせることによって、伸縮自在に構成されており、
前記遮蔽部を構成する前記固定光学部側の外径が最も大きい筒状部材は、内壁及び前記可動光学部側の端部にストッパーを有し、
前記遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最も大きい筒状部材と前記外径が最も小さい筒状部材との間の筒状部材は、当該筒状部材の前記固定光学部側の端部にあるストッパーが、前記固定光学部側に隣り合う筒状部材の内壁にあるストッパーに係合するまで、前記可動光学部の移動方向に移動する。この光ディスク装置では、複数の筒状部材の相対的な位置関係を変えることによって、遮蔽部を伸縮自在に構成することができ、簡単な構成で遮蔽部を実現することができる。
【００１１】
第３発明に係る光ディスク装置は、第２発明に係る光ディスク装置において、光ディスクは、記録及び／又は再生可能な第１及び第２面を有している。また、可動光学部は、第１面側に配置される第１可動光学部と、第２面側に配置される第２可動光学部とを有している。さらに、遮蔽部は、第１可動光学部と共に伸縮自在であり、固定光学部から第１可動光学部までの光路を遮蔽する第１遮蔽部と、第２可動光学部と共に伸縮自在であり、固定光学部から第２可動光学部までの光路を遮蔽する第２遮蔽部とを有している。
【００１２】
この光ディスク装置では、光ディスクの両面の記録及び／又は再生をする場合に、レーザ光が塵や埃によって減衰、拡散するのを防止することができ、レーザ光のスポット径をより一層小さくし、高記録密度のディスクを記録及び再生可能となる。
第４発明に係る光ピックアップ装置は、高密度の光ディスクの記録及び／又は再生に使用される光ピックアップ装置において、トラッキング及びフォーカシング動作を行う可動光学部と、レーザ光を出射及び検出する固定光学部と、可動光学部と共に伸縮自在であり、固定光学部から可動光学部までのレーザ光の光路を遮蔽する遮蔽部とを備えている。
そして、前記遮蔽部は、外径の異なる複数の筒状部材を順次繋ぎ合わせることによって、伸縮自在に構成されており、
前記遮蔽部を構成する前記固定光学部側の外径が最も大きい筒状部材は、内壁及び前記可動光学部側の端部にストッパーを有し、
前記遮蔽部を構成する前記可動光学部側の外径が最も小さい筒状部材は、前記固定光学部側の端部にストッパーを有し、
前記外径が最も大きい筒状部材と前記外径が最も小さい筒状部材との間の筒状部材は、前記固定光学部側の端部、内壁及び前記可動光学部側の端部にストッパーを有し、
前記可動光学部が前記光ディスクの縁部側にトラッキングする場合、前記外径が最も小さい筒状部材は、当該筒状部材の前記固定光学部側の端部にあるストッパーが、前記固定光学部側に隣り合う筒状部材の内壁にあるストッパーに係合するまで、前記可動光学部の移動方向に移動し、その後、前記外径が最も大きい筒状部材と前記外径が最も小さい筒状部材との間の筒状部材は、当該筒状部材の前記固定光学部側の端部にあるストッパーが、前記固定光学部側に隣合う筒状部材の内壁にあるストッパーに係合するまで、前記可動光学部の移動方向に移動する。
【００１３】
この光ピックアップ装置は、第２発明に係る光ディスク装置において述べたと同様の作用効果を奏する。
【００１４】
【発明の実施の形態】
〔第１実施形態例〕
（１）全体構成
図２及び図３は、第１実施形態例に係る光ディスク装置の光ピックアップ装置の構成図である。
【００１５】
この光ピックアップ装置は、可動光学部１ａ，１ｂと、固定光学部１ｃと、光分配部１ｄと、遮蔽部１０１〜１０４とを備えている。
可動光学部１ａ，１ｂは、それぞれ、全反射プリズム９ａ，９ｂと、対物レンズ１０ａ，１０ｂと、レンズアクチュエータ１１ａ，１１ｂとを備えている。全反射プリズム９ａ，９ｂは、それぞれ、光分配部１ｄからのレーザ光を全反射させて対物レンズ１０ａ，１０ｂに伝達すると共に、対物レンズ１０ａ，１０ｂからのレーザ光を全反射させて光分配部１ｄに伝達する。対物レンズ１０ａ，１０ｂは、それぞれ、レーザ光をディスク４の表面及び裏面に集光するための構成である。ディスク４は、例えば、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＬＤ（Ｌａｓｅｒ  Ｄｉｓｋ）、ＭＯ（Ｍａｇｎｅｔｏ  Ｏｐｔｉｃｌ  ｄｉｓｋ）などの光学的に記録及び再生可能な光ディスクであり、回転駆動部５によって回転する。レンズアクチュエータ１１ａ，１１ｂは、それぞれディスク４の表面及び裏面と対物レンズ１０ａ，１０ｂとの距離を調節することにより、ディスク４の表面及び裏面にレーザ光をフォーカシングさせる。また、可動光学部１ａ，１ｂは、それぞれ、リニタモータ２ａ，２ｂに固定されており、リニアモータ２ａ，２ｂがそれぞれレール３ａ，３ｂに沿って横方向に往復運動することによって、ディスク４の表面及び裏面をトラッキング動作する。
【００１６】
固定光学部１ｃは、半導体レーザ６と、コリーメートレンズ７と、偏向ビームスプリッタ８と、フォトディテクタ１２と、ヘッドアンプ１３とを備えている。半導体レーザ６は、活性層の材料及び寸法によって規定されるエネルギーバンドギャップに相当する波長（周波数）のレーザ光を出射する。コリーメートレンズ７は、半導体レーザ６から出射されたレーザ光を平行光線にして出力する。偏向ビームスプリッタ８は、入射したレーザ光の一部を反射させ、一部を透過させる。フォトディテクタ１２は、光ディスク１４から反射されたレーザ光を偏向ビームスプリッタ８から受光し、受光したレーザ光を電気信号に変換する。ヘッドアンプ１３は、フォトディテクタ１２から受信した電気信号を増幅する。
【００１７】
光分配部１ｄは、反射ミラー１７ａ，１７ｂを有している。反射ミラー１７ｂは、図示しない駆動機構によってレーザ光の光路上の位置と光路から外れた位置とに移動される。
遮蔽部１０１〜１０４は、半導体レーザ６から対物レンズ１０ａ，１０ｂまでの光路を遮蔽するための構成である。遮蔽部１０１は、固定光学部１ｃ及び光分配部１ｄを収納している。遮蔽部１０２ａ，１０２ｂは、それぞれ、筒状部材であり、遮蔽部１０１に進退自在に配置されている。また、遮蔽部１０３ａ，１０３ｂは、それぞれ、筒状部材であり、遮蔽部１０２ａ，１０２ｂに進退自在に配置されている。さらに、遮蔽部１０４ａ，１０４ｂは、それぞれ、筒状部材であり、遮蔽部１０３ａ，１０３ｂに進退自在に配置されている。また、遮蔽部１０４ａには可動光学部１ａが固定されており、遮蔽部１０４ｂには可動光学部１ｂが固定されている。
（２）遮蔽部の構造及び動作
図４は遮蔽部１０１〜１０４の伸張時の拡大図であり、図５は遮蔽部１０１〜１０４の収縮時の拡大図である。遮蔽部１０２ａ〜１０４ａと遮蔽部１０２ｂ〜１０４ｂとは同様の構成であるので、ここでは遮蔽部１０２ａ〜１０４ａを含む部分を例に挙げて説明する。
【００１８】
図４に示すように、遮蔽部１０１は、ストッパー１０１１ａを内壁に有してる。遮蔽部１０２ａは、光分配部１ｄ側の端部にストッパー１０２１ａを有し、内壁にストッパー１０２２ａを有し，可動光学部１ａ側の端部にストッパー１０２３ａを有している。遮蔽部１０３ａは、光分配部１ｄ側の端部にストッパー１０３１ａを有し、内壁にストッパー１０３２ａを有し、可動光学部１ａ側の端部にストッパー１０３３ａを有している。遮蔽部１０４ａは、光分配部１ｄ側の端部にストッパー１０４１ａを有している。
【００１９】
可動光学部１ａをディスク４の中心側にトラッキングする場合には、図４に示すように、リニアモータ２ａをレール３ａに沿って紙面左方向（矢印方向）に移動させ、遮蔽部１０４ａを遮蔽部１０３ａ内で左方向に移動させる。さらに、リニアモータ２ａを左方向に移動すると、ストッパー１０４１ａがストッパー１０３３ａに係合するまで、遮蔽部１０４ａが左方向に移動する。その後、リニアモータ２ａを左方向に移動させ続けると、ストッパー１０３１ａがストッパー１０２３ａに係合するまで、遮蔽部１０３ａが左方向に移動する。さらに、リニアモータ２ａを左方向に移動させ続けると、ストッパー１０２１ａがストッパー１０１２ａに係合するまで、遮蔽部１０２ａが左方向に移動する。
【００２０】
可動光学部１ａをディスク４の縁部側にトラッキングする場合には、図５に示すように、リニアモータ２ａをレール３ａに沿って紙面右方向（矢印方向）に移動させ、遮蔽部１０４ａを遮蔽部１０３ａ内で右方向に移動させる。さらに、リニアモータ２ａを右方向に移動すると、ストッパー１０４１ａがストッパー１０３２ａに係合するまで、遮蔽部１０４ａが右方向に移動する。その後、リニアモータ２ａを右方向に移動させ続けると、ストッパー１０３１ａがストッパー１０２２ａに係合するまで、遮蔽部１０３ａが左方向に移動する。さらに、リニアモータ２ａを右方向に移動させ続けると、ストッパー１０２１ａがストッパー１０１１ａに係合するまで、遮蔽部１０２ａが左方向に移動する。
【００２１】
このように遮蔽部１０２ａ〜１０４ａを左右方向に往復運動させることによって、可動光学部１ａ（対物レンズ１０ａ）をディスク４の表面上の所定位置にトラッキングする。同様に、遮蔽部１０２ｂ〜１０４ｂを左右方向に往復運動させることによって、可動光学部１ｂ（対物レンズ１０ｂ）をディスク４の裏面上の所定位置にトラッキングする。
（３）記録及び再生動作
（３−１）ディスクの表面での記録動作
ディスク４の表面に情報を記録又は再生する場合の動作を、図２を参照して説明する。まず、回転駆動部５を駆動させてディスク４の回転を開始すると共に、反射ミラー１７ａを図２に示すようにレーザ光の光路上に配置し、半導体レーザ６のパワーを調節してレーザ光を出射する。レーザ光は、コリメートレンズ７及び偏向ビームスプリッタ８、反射ミラー１７ｂ、反射ミラー１７ａを順に通過し、さらに、遮蔽部１０２ａ〜１０４ａの内部を通過して全反射プリズム１１ａから対物レンズ１０ａに伝達される。対物レンズ１０ａに伝達されたレーザ光は、ディスク４の表面上に集光される。対物レンズ１０ａからレーザ光をディスク４上に集光すると共に、トラッキング動作及びフォーカシング動作が行われる。トラッキング動作は、リニアモータ２ａをレール３ａに沿って往復運動させ、対物レンズ１０ａをディスク４の表面上の所定のトラックの位置に合わせることにより行う。フォーカシング動作は、レンズアクチュエータ１１ａによって対物レンズ１０ａとディスク４の表面の距離を調節することにより行う。
【００２２】
(３−２)ディスク表面での再生動作
半導体レーザ６のパワーを調節し、上記の記録時と同様の動作を行うと共に、ディスク４の表面からの反射光を全反射プリズム１１ａ、遮蔽部１０４ａ〜１０２ａ、反射ミラー１７ａ、反射ミラー１７ｂ、偏向ビームスプリッタ８を介してフォトディテクタ１２で受光し、フォトディテクタ１２で反射光を電気信号に変換し、この電気信号をヘッドアンプ１３で増幅し、情報を再生する。
【００２３】
（３−３）ディスク裏面での記録及び再生動作
ディスク４の裏面に情報を記録する場合には、反射ミラー１７ａを図４に示すようにレーザ光の光路上から外れた位置に配置する。この場合には、半導体レーザ６から出射されるレーザ光は、コリーメートレンズ７、偏向ビームスプリッタ８を介して、遮蔽部１０２ｂ〜１０４ｂを通過し、可変光学部１ｂに入射する。
【００２４】
ディスク４の裏面から情報を再生する場合には、半導体レーザ６のパワーを調節して記録時と同様の動作を行うと共に、ディスク４の裏面からの反射光を、可変光学部１ｂ、遮蔽部１０４ｂ〜１０２ｂ、偏向ビームスプリッタ８を介してフォトディテクタ１２で受光し、電気信号に変換し、この電気信号をヘッドアンプ１３で増幅する。
(４)まとめ
この光ディスク装置では、半導体レーザ６から対物レンズ１０ａ，１０ｂへの光路及び対物レンズ１０ａ，１０ｂからフォトディテクタ１２への光路が遮蔽部１０１〜１０４によって遮蔽されるので、塵や埃によってレーザ光が減衰、拡散されるのを防止できる。
【００２５】
また、可動光学部１ａ，１ｂやリニアモータ２ａ，２ｂの移動によって塵や埃が生じても、光路が遮蔽されるので、レーザ光が減衰、拡散されるのを防止できる。
この結果、レーザ光の減衰、拡散を防止し、レーザ光のスポット径をより一層小さくし、高記録密度のディスクを記録及び再生可能となる。
【００２６】
また、半導体レーザ６及びフォトディテクタ１２が固定されており、制御板までの距離が一定であり、フレキシブルケーブルを使用しなくても良い。このため、フレキシブルケーブルの移動のためのスペースが必要なくなり、光ディスク装置を小型化することができる。
さらに、半導体レーザ６は可動光学部１ａ，１ｂに含まれないので、リニアモータ２ａ，２ｂの能力に関係なく、半導体レーザ６の放熱設計をすることができる。この結果、高出力の半導体レーザ６を用いることができ、光ディスク４への記録を高速化できる。
〔第２実施形態例〕
図６及び図７は、第２実施形態例に係る光ディスク装置の光ピックアップ装置の構成図である。この光ピックアップ装置は、第１実施形態例に係る光ピックアップ装置の反射ミラー１７ｂの代わりに、台形レンズ１８ｂを備えている。それ以外の構成は第１実施形態例と同様であるので説明を省略する。
【００２７】
この光ピックアップ装置では、ディスク４の表面の記録及び再生時には、図６に示すように、台形レンズ１８ｂの面がレーザ光に対して斜めになるように配置し、レーザ光を全て反射させる。ディスク４の裏面の記録及び再生時には、図７に示すように、台形レンズ１８ｂを図示しない駆動機構によって回転させ、台形レンズ１８ｂの面がレーザ光に垂直になるように配置し、レーザ光を全て透過させる。
【００２８】
この光ピックアップ装置によれば、反射ミラー１７ｂをレーザ光の光路上の位置と光路から外れた位置とに移動させる場合に比較して、小さなスペースで台形レンズ１８ｂを回転してレーザ光の光路を変更できる。
【００２９】
【発明の効果】
本発明によれば、光ディスク装置において、レーザ光の減衰、拡散を防止し、レーザ光のスポット径をより一層小さくし、高記録密度のディスクを記録及び再生可能となる。
【図面の簡単な説明】
【図１】従来の光ピックアップ装置の構成例。
【図２】第１実施形態例に係る光ディスク装置の光ピックアップ装置の構成図（表面記録再生時）。
【図３】第１実施形態例に係る光ディスク装置の光ピックアップ装置の構成図（裏面記録再生時）。
【図４】遮蔽部の伸張時の拡大図。
【図５】遮蔽部の収縮時の拡大図。
【図６】第２実施形態例に係る光ディスク装置の光ピックアップ装置の構成図（表面記録再生時）。
【図７】第２実施形態例に係る光ディスク装置の光ピックアップ装置の構成図（裏面記録再生時）。
【符号の説明】
１ａ、１ｂ  可動光学部
１ｃ        固定光学部
１ｄ        光分配部
２          リニアモータ
３          レール
４          ディスク
５          回転駆動部
６          半導体レーザ
７          コリメートレンズ
８          偏向ビームスプリッタ
９          全反射プリズム
１０          対物レンズ
１１          レンズアクチュエータ
１２          フォトディテクタ
１３          ヘッドアンプ
１７ａ，１７ｂ          反射ミラー
１８ｂ          台形レンズ
１０１〜１０４  遮蔽部
【図１】
0004032411.tif 000002
【図２】
0004032411.tif 000003
【図３】
0004032411.tif 000004
【図４】
0004032411.tif 000005
【図５】
0004032411.tif 000006
【図６】
0004032411.tif 000007
【図７】
0004032411.tif 000008